(57)【特許請求の範囲】
【請求項１】
複数の場所に設置され他の地点と画像や音声の通信を行うための複数のテレビ会議装置と、上記複数のテレビ会議装置間の通信を制御する多地点間通信制御装置と、上記テレビ会議装置と上記多地点間通信制御装置との通信を中継する通信回線と、上記多地点間通信制御装置に通信回線を介さず接続され上記多地点間通信制御装置から試験信号を入力し、上記試験信号が正常か否か試験する試験装置とを備え、上記多地点間通信制御装置は上記試験信号として上記複数のテレビ会議装置の何れかから送信された受信信号と上記複数のテレビ会議装置の全てまたは何れかに送信する送信信号とを切り換えて上記試験装置に出力し、上記試験装置は上記試験信号のフレーム同期信号を保存しつつ試験することを特徴とする通信試験システム。
【請求項２】
複数の場所に設置され他の地点と画像や音声の通信を行うための複数のテレビ会議装置と、上記複数のテレビ会議装置間の通信を制御する多地点間通信制御装置と、上記テレビ会議装置と上記多地点間通信制御装置との通信を中継する通信回線と、上記多地点間通信制御装置に通信回線を介さず接続され通信される信号が正常か否か試験する試験装置とを備えた試験システムにおいて、上記複数のテレビ会議装置の何れかに画像または音声が正常に出力されないという障害が発生した際に、上記通信回線を切断することなく、上記複数のテレビ会議装置の何れかから上記多地点間通信制御装置に送信された受信信号を試験信号として上記試験装置に出力し、上記試験装置にて上記試験信号をフレーム同期信号を保存しつつ復号することにより上記受信信号が正常か否か試験し、障害の発生箇所を切り分けることを特徴とする通信試験方法。
【請求項３】
複数の場所に設置され他の地点と画像や音声の通信を行うための複数のテレビ会議装置と、上記複数のテレビ会議装置間の通信を制御する多地点間通信制御装置と、上記テレビ会議装置と上記多地点間通信制御装置との通信を中継する通信回線と、上記多地点間通信制御装置に通信回線を介さず接続され通信される信号が正常か否か試験する試験装置とを備えた試験システムにおいて、上記複数のテレビ会議装置の何れかに画像または音声が正常に出力されないという障害が発生した際に、上記通信回線を切断することなく、上記多地点間通信制御装置から上記障害の発生したテレビ会議装置に送信する送信信号を試験信号として上記試験装置に出力し、上記試験装置にて上記試験信号をフレーム同期信号を保存しつつ復号することにより上記送信信号が正常か否か試験し、障害の発生箇所を切り分けることを特徴とする通信試験方法。
【請求項４】
複数の場所に設置され他の地点と画像や音声の通信を行うための複数のテレビ会議装置と、上記複数のテレビ会議装置間の通信を制御する多地点間通信制御装置と、上記テレビ会議装置と上記多地点間通信制御装置との通信を中継する通信回線と、上記多地点間通信制御装置に通信回線を介さず接続され通信される信号が正常か否か試験する試験装置とを備えた試験システムにおいて、上記複数のテレビ会議装置の何れかに画像または音声が正常に出力されないという障害が発生した際に、上記通信回線を切断することなく、上記複数のテレビ会議装置の何れかから上記多地点間通信制御装置に送信された受信信号を第１の試験信号として上記試験装置に出力し、上記試験装置にて上記第１の試験信号をフレーム同期信号を保存しつつ復号することにより上記受信信号が正常か否か試験し、上記受信信号が正常の場合は上記多地点間通信制御装置から上記障害の発生したテレビ会議装置に送信する送信信号を第２の試験信号として上記試験装置に出力し、上記試験装置にて上記第２の試験信号をフレーム同期信号を保存しつつ復号することにより上記送信信号が正常か否か試験し、障害の発生箇所を切り分けることを特徴とする通信試験方法。
【請求項５】
複数の場所に設置され他の地点と画像や音声の通信を行うための複数のテレビ会議装置と、上記複数のテレビ会議装置間の通信を制御する多地点間通信制御装置と、上記テレビ会議装置と上記多地点間通信制御装置との通信を中継する通信回線と、上記多地点間通信制御装置に通信回線を介さず接続され通信される信号が正常か否か試験する試験装置とを備えた試験システムにおいて、上記複数のテレビ会議装置の何れかに画像または音声が正常に出力されないという障害が発生した際に、上記通信回線を切断することなく、上記多地点間通信制御装置から上記障害の発生したテレビ会議装置に送信する送信信号を第１の試験信号として上記試験装置に出力し、上記試験装置にて上記第１の試験信号をフレーム同期信号を保存しつつ復号することにより上記送信信号が正常か否か試験し、上記送信信号が正常の場合は上記障害の発生したテレビ会議装置から上記多地点間通信制御装置に送信された受信信号を第２の試験信号として上記試験装置に出力し、上記試験装置にて上記第２の試験信号をフレーム同期信号を保存しつつ復号することにより上記受信信号が正常か否か試験し、障害の発生箇所を切り分けることを特徴とする通信試験方法。
【発明の詳細な説明】
【０００１】
【発明の属する技術分野】
この発明は複数のテレビ会議端末装置を介して接続し、多地点テレビ会議を行うときに使用される多地点間通信制御装置に係わり、特に障害発生箇所を切り分ける場合における通信試験システムおよび通信試験方法に関するものである。
【０００２】
【従来の技術】
図６は従来の多地点間通信制御装置マルチメディア多重・分離制御部を示すブロック図である。図６において、点線にて囲まれた２０は多地点間通信制御装置マルチメディア多重・分離制御部を示し、２１は多重制御部、２２は分離制御部、２３は音声符号化器、２４は音声復号器、２５は映像切替器、２６はテレビ会議端末装置との接続制御を行うとともに、多地点間通信制御装置の送信符号化則を制御する制御処理部である。２７は多地点間通信制御装置２０に接続されるＤＳＵ（回線終端装置）である。
【０００３】
１０１は制御処理部２６から音声復号器２４に出力される復号処理のための符号化則を制御する制御信号、１０２は音声符号化器２３に出力される符号化則を制御する制御信号、１０３は多重制御部２１に出力される多重フォーマットを制御する制御信号、１０４は送信制御信号、０１６は出力映像選択信号である。２０１はＤＳＵ２７を介して受信するテレビ会議端末からの受信信号、２０２は受信制御信号、２０３は受信符号化画像信号、２０４は受信符号化音声信号、２０５は音声復号器２４により復号された受信ＰＣＭ音声信号である。３０１は図示されない音声加算器からの多地点テレビ会議に参加している全テレビ会議端末装置の送信音声を加算した送信ＰＣＭ音声信号、３０２は音声符号化器２３により符号化された符号化音声信号、３０３は映像切替器２５より選択出力された符号化画像信号、３０４はＤＳＵ２７を介してテレビ会議端末に送信される多重化された送信信号である。
【０００４】
次に動作について説明する。まず、受信動作について説明すると、テレビ会議端末装置からの受信信号２０１をＤＳＵ２７を介して受信し、分離制御部２２が制御処理部からの制御信号１０５に基づいて、受信制御信号２０２、受信符号化画像信号２０３、受信符号化音声信号２０４等に分離してそれぞれ制御処理部２６、映像切替器２５、音声復号器２４に出力する。
【０００５】
音声復号器２４は受信符号化音声信号２０４を制御処理部２６からの制御信号１０１に基づいた符号化則により復号し、受信ＰＣＭ音声信号２０５を図示されない音声検出器へ出力する。この符号化則には、例えば日本、米国等で用いられているＩＴＵ−Ｔ勧告Ｇ．７１１でのμ則、欧州等で用いられているＡ則、高品質音声を扱うＩＴＵ−Ｔ勧告Ｇ．７２２、あるいは符号化処理情報量が少ないＩＴＵ−Ｔ勧告Ｇ．７２８等があり、これらの内の１つで復号される。
尚、制御処理部２６は、受信制御信号２０２と送信制御信号１０４とを用いてテレビ会議端末装置との接続制御を行う。すなわち、多地点間通信制御装置の受信復号能力情報をテレビ会議端末装置へ送信するとともに、テレビ会議端末装置の受信復号能力情報を受信し、多地点間通信制御装置からの符号化則（制御信号１０１、１０２等）を決定する。
【０００６】
次に送信動作について説明する。音声符号化器２３は図示されない音声加算器からの多地点テレビ会議に参加している全テレビ会議端末装置の送信音声を加算した送信ＰＣＭ音声信号３０１を制御処理部２６からの制御信号１０２に基づいた符号化則により符号化し、符号化音声信号３０２を多重制御部２１へ出力する。映像切替器２５は制御処理部２６からの制御信号１０６に基づいて符号化画像信号３０３を多重制御部２１へ選択出力する。
【０００７】
多重制御部２１は符号化音声信号３０２と符号化画像信号３０３と制御処理部２６からの送信制御信号１０４を、例えばＩＴＵ−Ｔ勧告Ｈ．２１１に従ったフォーマットに時分割多重し、送信信号３０４としてＤＳＵ２７を介してテレビ会議端末装置へ出力する。この際、どのような多重フォーマットで多重処理するかは制御処理部２６からの制御信号１０３により制御される。
以上により多地点間通信制御装置から画像信号と音声信号および制御信号等がテレビ会議端末装置へ出力される。
【０００８】
【発明が解決しようとする課題】
従来の多地点間通信制御装置は以上のように構成されているので、例えばテレビ会議システムまたは多地点間通信制御装置の据付、立ち上げに伴う調整作業や、多地点テレビ会議中に、あるテレビ会議端末装置から送信した信号が別のテレビ会議装置にて画像または音声等として正常に出力されない等の障害が発生した場合、通信回線に多地点間通信装置が出力した送信信号が正常か否か判断できないことや、通信制御装置が通信回線から入力した受信信号が正常か否か判断することができないことや、更に、システム上回線を一旦切断しなければならないため、障害発生箇所が多地点間通信制御装置、テレビ会議端末装置、通信回線の内のどこか、またどの部分か切り分けることができないという欠点がある。
【０００９】
例えば、日本電信電話（株）の提供しているＩＮＳネット網等ではＤＳＵ（端末機器側に配置される回線終端装置）までの受信経路の確認を行うには、一度通信を終了し回線を切断し多地点間通信制御装置側を確認するので、回線、テレビ会議端末装置に障害があった場合は不必要に多地点間通信制御装置側の試験を行うことになる。また、試験は交換器側から試験起動をかける必要があり、非常に手間がかかると共に原因調査が困難であった。
【００１０】
この発明は以上のような問題点を解決するためになされたもので、多地点間通信制御装置から送信した情報がテレビ会議端末装置に正常に出力されない場合に、通信を切断すること無しに、障害が発生しているのが多地点間通信制御装置、テレビ会議端末装置、通信回線の内のいずれなのか容易に切り分けられる通信試験システムおよび通信試験方法を得ることを目的とする。
【００１３】
【課題を解決するための手段】
上記の問題点を解決するために、この発明に示す通信試験システムは、複数の場所に設置され他の地点と画像や音声の通信を行うための複数のテレビ会議装置と、上記複数のテレビ会議装置間の通信を制御する多地点間通信制御装置と、上記テレビ会議装置と上記多地点間通信制御装置との通信を中継する通信回線と、上記多地点間通信制御装置に通信回線を介さず接続され上記多地点間通信制御装置から試験信号を入力し、上記試験信号が正常か否か試験する試験装置とを備え、上記多地点間通信制御装置は上記試験信号として上記複数のテレビ会議装置の何れかから送信された受信信号と上記複数のテレビ会議装置の全てまたは何れかに送信する送信信号とを切り換えて上記試験装置に出力し、上記試験装置は上記試験信号のフレーム同期信号を保存しつつ試験することを特徴とするものである。
【００１４】
また、この発明に示す試験方法は、複数の場所に設置され他の地点と画像や音声の通信を行うための複数のテレビ会議装置と、上記複数のテレビ会議装置間の通信を制御する多地点間通信制御装置と、上記テレビ会議装置と上記多地点間通信制御装置との通信を中継する通信回線と、上記多地点間通信制御装置に通信回線を介さず接続され通信される信号が正常か否か試験する試験装置とを備えた試験システムにおいて、上記複数のテレビ会議装置の何れかに画像または音声が正常に出力されないという障害が発生した際に、上記通信回線を切断することなく、上記複数のテレビ会議装置の何れかから上記多地点間通信制御装置に送信された受信信号を試験信号として上記試験装置に出力し、上記試験装置にて上記試験信号をフレーム同期信号を保存しつつ復号化することにより上記受信信号が正常か否か試験し、障害の発生箇所を切り分けるものである。
【００１５】
また、複数の場所に設置され他の地点と画像や音声の通信を行うための複数のテレビ会議装置と、上記複数のテレビ会議装置間の通信を制御する多地点間通信制御装置と、上記テレビ会議装置と上記多地点間通信制御装置との通信を中継する通信回線と、上記多地点間通信制御装置に通信回線を介さず接続され通信される信号が正常か否か試験する試験装置とを備えた試験システムにおいて、上記複数のテレビ会議装置の何れかに画像または音声が正常に出力されないという障害が発生した際に、上記通信回線を切断することなく、上記多地点間通信制御装置から上記障害の発生したテレビ会議装置に送信する送信信号を試験信号として上記試験装置に出力し、上記試験装置にて上記試験信号をフレーム同期信号を保存しつつ復号化することにより上記送信信号が正常か否か試験し、障害の発生箇所を切り分けるものである。
【００１６】
また、複数の場所に設置され他の地点と画像や音声の通信を行うための複数のテレビ会議装置と、上記複数のテレビ会議装置間の通信を制御する多地点間通信制御装置と、上記テレビ会議装置と上記多地点間通信制御装置との通信を中継する通信回線と、上記多地点間通信制御装置に通信回線を介さず接続され通信される信号が正常か否か試験する試験装置とを備えた試験システムにおいて、上記複数のテレビ会議装置の何れかに画像または音声が正常に出力されないという障害が発生した際に、上記通信回線を切断することなく、上記複数のテレビ会議装置の何れかから上記多地点間通信制御装置に送信された受信信号を第１の試験信号として上記試験装置に出力し、上記試験装置にて上記第１の試験信号をフレーム同期信号を保存しつつ復号することにより上記受信信号が正常か否か試験し、上記受信信号が正常の場合は上記多地点間通信制御装置から上記障害の発生したテレビ会議装置に送信する送信信号を第２の試験信号として上記試験装置に出力し、上記試験装置にて上記第２の試験信号をフレーム同期信号を保存しつつ復号化することにより上記送信信号が正常か否か試験し、障害の発生箇所を切り分けるものである。
【００１７】
また、複数の場所に設置され他の地点と画像や音声の通信を行うための複数のテレビ会議装置と、上記複数のテレビ会議装置間の通信を制御する多地点間通信制御装置と、上記テレビ会議装置と上記多地点間通信制御装置との通信を中継する通信回線と、上記多地点間通信制御装置に通信回線を介さず接続され通信される信号が正常か否か試験する試験装置とを備えた試験システムにおいて、上記複数のテレビ会議装置の何れかに画像または音声が正常に出力されないという障害が発生した際に、上記通信回線を切断することなく、上記多地点間通信制御装置から上記障害の発生したテレビ会議装置に送信する送信信号を第１の試験信号として上記試験装置に出力し、上記試験装置にて上記第１の試験信号をフレーム同期信号を保存しつつ復号することにより上記送信信号が正常か否か試験し、上記送信信号が正常の場合は上記障害の発生したテレビ会議装置から上記多地点間通信制御装置に送信された受信信号を第２の試験信号として上記試験装置に出力し、上記試験装置にて上記第２の試験信号をフレーム同期信号を保存しつつ復号することにより上記受信信号が正常か否か試験し、障害の発生箇所を切り分けるものである。
【００１８】
【発明の実施の形態】
実施の形態１．
この発明の一実施の形態について説明する。図１、図２および図３はこの発明の実施の形態１を示すものであり、図１は通信試験システムを示す概略図、図２は多地点間通信制御装置マルチメディア多重・分離制御部の詳細ブロック図、図３は試験装置の詳細ブロツク図である。図１および図２において、従来例と同等のものは同符号を付し、説明を省略する。１は通信試験システムの概略図、点線にて囲まれた２は多地点間通信制御装置マルチメディア多重・分離制御部、３は多地点間通信制御装置の送信符号化則を制御し、テレビ会議端末装置との間で接続制御を行う機能と、テレビ会議端末装置からＤＳＵ２７を介して入力される時分割多重した受信信号２０１もしくは、多重制御部２１から出力される時分割多重した送信信号３０４とを切替える切替信号を出力する制御処理部、４は制御処理部３からの切替信号に基づいて受信信号２０１と送信信号３０４とを切替えてＤＳＵ２７に送信信号を送信する切替器、５はテレビ会議端末装置からＤＳＵ２７を介して入力される時分割多重した受信信号２０１を試験装置６へ出力する試験信号出力部である。１０７はテレビ会議端末装置に送信する信号を選択するための切替え信号、３０５はＤＳＵ２７に送信される送信信号、３０６は試験装置へ出力される試験信号である。なお、試験信号３０６はテレビ会議端末装置からＤＳＵ２７を介して入力される時分割多重した受信信号２０１である。
【００１９】
点線にて囲まれた６は試験装置、７は多地点間通信制御装置マルチメディア多重・分離制御部２から試験装置側に出力される試験信号を入力する試験信号入力部、８は多地点間通信制御装置との接続を制御する接続制御部、９は受信試験信号からＦＡＳ信号、ＢＡＳ信号と受信試験データとを分離する分離制御部、また、点線にて囲まれた１０は画像復号器、１０ａはディジタル信号をアナログ信号に変換するＤ／Ａ変換器、１０ｂは符号化されたデータを復号する復号処理部、また、点線にて囲まれた１１は音声復号器、１１ａはディジタル信号をアナログ信号に変換するＤ／Ａ変換器、１１ｂは符号化された音声信号を復号する復号処理部である。また、４０１は音声復号器１１に出力される復号処理のための符号化則を制御する制御信号、４０２は分離制御部９へ出力される制御信号、５０１は多地点間通信制御装置マルチメディア多重・分離制御部２から試験装置側に出力される試験信号（試験信号３０６である。）、５０２は受信制御信号、５０３は受信符号化画像信号、５０４は復号処理部１０ｂにより復号された受信ディジタルビデオ信号、５０５はＤ／Ａ変換器１０ａにより変換された受信アナログビデオ信号、５０６は受信符号化音声信号、５０７は復号処理部１１ｂにより復号された受信ディジタル音声信号、５０８はＤ／Ａ変換器１１ａにより変換された受信アナログ音声信号であ．。
【００２０】
なお、試験信号５０１（試験信号３０６）は、試験データの構成に特別の配慮をしなければならない。すなわち、テレビ会議システムを構成し、かつ試験装置は例えばＩＴＵ−Ｔ勧告Ｈ．２２１やＨ．２４２に従うように動作するためである。これらの勧告では、伝送路上通信されるデータ列は一定のデータビット数を区切りとするフレーム構成が採用されており、送信側で設定されるＦＡＳと呼ばれるフレーム同期信号によりフレームの区切りを示し、受信側ではこのフレーム構造を認識して受信処理を行うように動作する。ＦＡＳ信号および動作の詳細は同勧告Ｈ．２２１内に示されている。
【００２１】
また、このフレーム内にはフレーム列内に存在する例えば、画像信号、音声信号、制御信号等の複数のメディアデータに対して、どのような種類のものがどれだけの多重速度で多重処理するかを示すＢＡＳ信号と呼ばれるビットレート割当信号も同時に存在し、受信側ではこの受信フレーム内に存在するＢＡＳ信号を解読しながら多重化データの分解、復号処理を制御するよう動作する。ＢＡＳ信号およびこれに基づく動作の詳細は同勧告Ｈ．２２１およびＨ．２４２内に示されている。
【００２２】
これらのＦＡＳ信号およびＢＡＳ信号を保存しつつ試験することが必要であり、これを無視して適当な試験データを送信すると、試験装置側で受信フレーム同期外れ状態あるいは解読不能な状態として異常なＢＡＳ信号に基づいて受信処理が行われるため、試験自体が正常に行えなくなる恐れが生じる。
【００２３】
次に動作について説明する。テレビ会議端末装置に画像または音声が正常出力されない等の障害が発生した場合、回線を切断せずに試験装置６を多地点間通信制御装置マルチメディア多重・分離制御部２に接続する。
試験装置６が接続されると、試験装置６に試験信号３０６（試験信号５０１）が出力され、試験装置６内で復号され出力される。この画像や音声等の出力を確認することにより、すなわち画像や音声等が正常に出力されれば、障害の発生箇所がテレビ会議端末装置の受信側もしくは多地点間通信制御装置マルチメディア多重・分離制御部であると分かる。また、画像や音声等が正常に出力されない場合は、使用している回線もしくはテレビ会議端末装置の送信側に障害が発生していると推定できる。
【００２４】
障害の発生箇所がテレビ会議端末装置の受信側もしくは多地点間通信制御装置マルチメディア多重・分離部である場合に、切替器４より受信信号２０１を折り返し出力し、テレビ会議端末装置で画像や音声の出力を確認することにより、すなわち画像や音声が正常に出力されれば、障害の発生箇所が多地点間通信制御装置マルチメディア多重・分離部であると分かる。
【００２５】
以上説明したようにこの実施の形態１に示す通信試験システムによれば、回線を切断することなく、障害の発生箇所がテレビ会議端末装置の受信側もしくは多地点間通信制御装置マルチメディア多重・分離制御部もしくは使用している回線もしくはテレビ会議端末装置の送信側なのかを切り分けることができ、より早く対応できることとなり、復旧を容易にすることが可能となる。
【００２６】
実施の形態２．
この発明の他の実施の形態について説明する。図４にこの発明の実施の形態２を示す。図４は多地点間通信制御装置マルチメディア多重・分離制御部の詳細ブロック図である。
図４において、前述の実施の形態１および従来例に示したものと同等のものは同符号を付し説明を省略する。点線にて囲まれた１２は多地点間通信制御装置、試験信号３０６は多重制御部２１から切替器４に出力されている時分割多重した送信信号３０４である。
【００２７】
次に動作について説明する。テレビ会議端末装置に画像または音声が正常に出力されない等の障害が発生した場合、回線を切断せずに試験装置６を多地点間通信制御装置１２に接続する。
試験装置６が接続されると、試験装置６に試験信号３０６（試験信号５０１）が出力され、試験装置６内で復号化され出力される。この画像や音声等の出力を確認することにより、すなわち画像や音声等が正常に出力されれば、障害の発生がテレビ会議端末装置の受信側であると分かる。
【００２８】
以上説明したようにこの実施の形態２に示す通信試験システムによれば、回線を切断することなく、障害の発生箇所がテレビ会議端末装置の受信側か使用している回線もしくはテレビ会議端末装置の送信側なのかを切り分けることができ、より早く対応できることとなり、復旧を容易にすることが可能になる。
【００２９】
実施の形態３．
この発明の他の実施の形態について説明する。図５にこの発明の実施の形態３を示す。図５は多地点間通信制御装置マルチメディア多重・分離制御部の詳細ブロック図である。
図５において、前述の実施の形態、従来例等に示したものと同等のものは同符号を付し説明を省略する。点線にて囲まれた１３は多地点間通信制御装置、１４はテレビ会議端末装置からＤＳＵ２７を介して入力される時分割多重した受信信号２０１と多重制御部２１から出力される時分割多重した送信信号３０４とを切り替える切替信号を出力する制御処理部、１５は制御処理部１４からの切替信号に基づいて受信信号２０１と送信信号３０４とを切り替えて試験装置６に信号を送信する切替器である。１０８は試験装置６に送信する試験信号を選択するための切替信号である。
【００３０】
次に動作について説明する。テレビ会議端末装置に画像または音声が正常に出力されない等の障害が発生した場合、回線を切断せずに試験装置６を多地点間通信制御装置１３に接続する。
【００３１】
多地点間通信制御装置１３から不図示のマンーマシンインターフェースを介して、制御処理部１４を操作し、試験装置６に送信する試験信号を選択する。
まず、試験装置６に対して切替器１５より多重制御部２１から出力される時分割多重した送信信号３０４を出力する。試験装置６側では復号処理がされ、画像や音声等が出力される。この画像や音声等を確認することにより、すなわち画像や音声等が正常に出力されれば、多地点間通信制御装置１３を含めた以前の処理過程には障害が発生しておらず、発性箇所はテレビ会議端末装置の受信側であると分かる。また、正常に出力されなかった場合には、多地点間通信制御装置１３を含めた以前の処理過程に障害が発生していると分かる。
【００３２】
次に試験装置６に正常に出力されなかった場合、試験装置６に対して切替器１６より、テレビ会議端末装置からＤＳＵを介して入力される時分割多重した受信信号２０１を出力する。試験装置６では同様に復号処理がされ、画像や音声が出力される。画像や音声が正常に出力されれば、多地点間通信制御装置に障害が発生していると分かる。また、正常に出力されなかった場合、使用している回線もしくはテレビ会議端末装置の送信側に障害があると推定できる。
【００３３】
以上説明したようにこの実施の形態３に示す通信試験システムおよび試験方法によれば、回線を切断することなく、障害の発生箇所をテレビ会議端末装置の受信側または多地点間通信制御装置あるいは使用している回線もしくはテレビ会議端末装置の送信側等など切り分けることができ、より早く対応できることとなり、復旧を容易にすることが可能となる。
尚、本実施の形態では多重制御部２１からの送信信号３０４を先に試験信号３０６としたが、受信信号２０１を先に試験信号３０６としても同様の効果を奏することは言うまでもない。
【００３４】
実施の形態４．
前述の実施の形態１、実施の形態２および実施の形態３はそれぞれ多地点間通信制御装置に試験装置を接続する場合について説明したが、試験装置の代わりに障害がないと分かっているテレビ会議端末装置を用いても同様の効果を奏する。この場合、多地点間通信制御装置と試験装置として用いるテレビ会議端末装置とを例えば、ＩＳＯ規格ＲＳ−４２２／４４９に従いケーブル等で直結することにより実現できる。
【００３７】
【発明の効果】
請求項１に示す通信試験システムは、複数の場所に設置され他の地点と画像や音声の通信を行うための複数のテレビ会議装置に画像または音声等が正常に出力されない等の障害が発生した場合に、多地点間通信制御装置は試験信号として上記複数のテレビ会議装置の何れかから送信された受信信号と上記複数のテレビ会議装置の全てまたは何れかに送信する送信信号とを切り換えて上記試験装置に出力し、上記試験装置は上記多地点間通信制御装置に通信回線を介さず接続するとともに上記試験信号のフレーム同期信号を保存しつつ試験するので、多地点間通信制御装置が有する回線の何れかに異常が発生したときに試験装置を通信回線を介さず接続して回線を切断することなしに受信フレーム同期外れ等を発生させず正常に試験が行える効果がある。
【００３８】
請求項２に示す試験方法は、複数のテレビ会議装置の何れかに画像または音声が正常に出力されないという障害が発生した際に、通信回線を切断することなく、複数のテレビ会議装置の何れかから多地点間通信制御装置に送信された受信信号を試験信号として試験装置に出力し、上記多地点間通信制御装置に通信回線を介さず接続する試験装置にて試験信号をフレーム同期信号を保存しつつ復号するので、多地点間通信制御装置が有する回線の何れかに異常が発生したときに試験装置を通信回線を介さず接続して回線を切断することなしに受信フレーム同期外れ等を発生させず正常に試験が行える効果がある。
【００３９】
請求項３に示す通信試験方法は、複数のテレビ会議装置の何れかに画像または音声が正常に出力されないという障害が発生した際に、通信回線を切断することなく、多地点間通信制御装置から障害の発生したテレビ会議装置に送信する送信信号を試験信号として上記多地点間通信制御装置に通信回線を介さず接続する試験装置に出力し、試験装置にて上記試験信号をフレーム同期信号を保存しつつ復号するので、多地点間通信制御装置が有する回線の何れかに異常が発生したときに試験装置を通信回線を介さず接続して回線を切断することなしに受信フレーム同期外れ等を発生させず正常に試験が行える効果がある。
【００４０】
請求項４に示す通信試験方法は、複数のテレビ会議装置の何れかに画像または音声が正常に出力されないという障害が発生した際に、通信回線を切断することなく、複数のテレビ会議装置の何れかから多地点間通信制御装置に送信された受信信号を第１の試験装置として上記多地点間通信制御装置に通信回線を介さず接続する試験装置に出力し、試験装置にて第１の試験信号をフレーム同期信号を保存しつつ復号することにより受信信号が正常か否か試験し、正常の場合は障害の発生箇所が多地点通信制御装置もしくはテレビ会議装置の受信側であり、異常の場合は障害の発生箇所がテレビ会議装置の送信側もしくは使用している通信回線であると切り分け、さらに、受信信号が正常の場合は多地点間通信制御装置から障害の発生したテレビ会議装置に送信する送信信号を第２の試験信号として試験装置に出力し、試験装置にて第２の試験信号をフレーム同期信号を保存しつつ復号することにより送信信号が正常か否か試験し、障害の発生箇所を切り分けるので、多地点間通信制御装置が有する回線の何れかに異常が発生したときに試験装置を通信回線を介さず接続して回線を切断することなしに受信フレーム同期外れ等を発生させず正常に試験が行える効果がある。
【００４１】
請求項５に示す通信試験方法は、複数のテレビ会議装置の何れかに画像または音声が正常に出力されないという障害が発生した際に、通信回線を切断することなく、多地点間通信制御装置から障害の発生したテレビ会議装置に送信する送信信号を第１の試験信号として上記多地点間通信制御装置に通信回線を介さず接続する試験装置に出力し、試験装置にて第１の試験信号をフレーム同期信号を保存しつつ復号することにより送信信号が正常か否か試験し、正常の場合は障害の発生箇所がテレビ会議装置の受信側もしくは使用している通信回線であり、異常の場合は多地点間通信制御装置もしくはテレビ会議装置の送信側であると切り分け、さらに、送信信号が正常の場合は障害の発生しているテレビ会議装置から多地点間通信制御装置に送信された受信信号を第２の試験信号として試験装置に出力し、試験装置にて第２の試験信号をフレーム同期信号を保存しつつ復号することにより受信信号が正常か否か試験し、障害の発生箇所を切り分けるので、多地点間通信制御装置が有する回線の何れかに異常が発生したときに試験装置を通信回線を介さず接続して回線を切断することなしに受信フレーム同期外れ等を発生させず正常に試験が行える効果がある。
【図面の簡単な説明】
【図１】この発明の実施の形態１を示す通信試験システムの概略図である。
【図２】この発明の実施の形態１の多地点間通信制御装置マルチメディア多重・分離制御部の詳細ブロツク図である。
【図３】この発明の実施の形態１の試験装置の詳細ブロック図である。
【図４】この発明の実施の形態２の多地点間通信制御装置マルチメディア多重・分離制御部の詳細ブロック図である。
【図５】この発明の実施の形態３の多地点間通信制御装置マルチメディア多重・分離制御部の詳細ブロック図である。
【図６】従来の多地点間通信制御装置マルチメディア多重・分離制御部の詳細ブロック図である。
【符号の説明】
１  通信試験システム
２  多地点間通信制御装置マルチメディア多重・分離制御部
３  制御処理部
４  切替器
５  試験信号出力部
６  試験装置
７  試験信号入力部
１２  多地点間通信制御装置マルチメディア多重・分離制御部
１３  多地点間通信制御装置マルチメディア多重・分離制御部
１４  制御処理部
１５  切替器
【図１】
0003622296.tif 000002
【図２】
0003622296.tif 000003
【図３】
0003622296.tif 000004
【図４】
0003622296.tif 000005
【図５】
0003622296.tif 000006
【図６】
0003622296.tif 000007